(57)【要約】【課題】  従来技術では、他人に容易に録画予約内容を見られてしまうという欠点がある。また、通信端末は、携帯型である場合には、表示部の領域も必然的に小さくなってしまう。このため電子番組表のうちの一つの番組を表示するだけで、表示部領域の全域を使用せざるを得なくなり、他の画像を同時に表示できないという欠点を有している。【解決手段】  第一の発明は、電子番組情報を取得する電子番組情報取得部と、前記電子番組情報取得部で取得した電子番組情報の全部又は一部をコード化して電子番組コード情報とするコード化部と、前記コード化部にてコード化された電子番組コード情報を保持する電子番組コード情報保持部と、前記電子番組コード情報保持で保持されている電子番組コード情報を表示するための電子番組コード表示手段を有する表示部と、情報を送信するための送信部と、を有する通信端末に関する。【選択図】  図１
2006060331.tif 000002
【特許請求の範囲】
【請求項１】
電子番組情報を取得する電子番組情報取得部と、
前記電子番組情報取得部で取得した電子番組情報の全部又は一部をコード化して電子番組コード情報とするコード化部と、
前記コード化部にてコード化された電子番組コード情報を保持する電子番組コード情報保持部と、
前記電子番組コード情報保持部で保持されている電子番組コード情報を表示するための電子番組コード表示手段を有する表示部と、
情報を送信するための送信部と、
を有する通信端末。
【請求項２】
画像を表示するための情報である画像情報を取得する画像情報取得部と、
前記画像情報取得部で取得した画像情報を保持する画像情報保持部と、
前記画像情報保持部に保持された画像情報と、前記電子番組コード情報保持部に保持された電子番組コード情報とを合成して、合成画像情報とする画像−コード合成部と、を有し、
前記表示部は、前記画像−コード合成部で合成された合成画像情報に基づいて合成画像を表示するための合成画像表示手段を有する請求項１に記載の通信端末。
【請求項３】
前記画像−コード合成部は、一の画像情報に対して複数の電子番組コード情報を合成するための複数コード合成手段を有する請求項２に記載の通信端末。
【請求項４】
前記画像情報保持部に保持された画像情報と、前記電子番組コード情報保持部に保持された電子番組コード情報とをリンク付けするためのリンク情報を生成するリンク情報生成部をさらに有する請求項２又は３に記載の通信端末。
【請求項５】
前記送信部は、前記画像−コード合成部で合成された合成画像情報を送信するための合成画像情報送信手段を有する請求項から４のいずれか一に記載の通信端末。
【請求項６】
前記送信部は、さらに前記リンク情報生成部で生成されたリンク情報を送信するためのリンク情報送信手段を有する請求項４に記載の通信端末。
【請求項７】
前記送信部は、画像情報保持部に保持された画像情報及び前記電子番組コード情報保持部に保持された電子番組コード情報を送信するための画像及びコード送信手段を有する請求項２から６のいずれか一に記載の通信端末。
【請求項８】
前記合成画像情報送信手段から送信される合成画像情報を受信する合成画像情報受信部と、
前記合成画像情報受信部で受信した合成画像情報から前記電子番組コードを抽出する電子番組コード抽出部と、
前記電子番組コード抽出部にて抽出された電子番組コードから前記電子番組情報の全部又は一部を復元するための電子番組情報復元部と、
前記電子番組情報復元部にて復元された電子番組情報に基づいて電子番組を表示するための電子番組表示部と、
を有する番組録画予約装置。
【請求項９】
前記リンク情報送信手段から送信されたリンク情報を受信するためのリンク情報受信部を有する請求項８に記載の番組録画予約装置。
【請求項１０】
前記画像及びコード送信手段から送信された画像情報及び電子番組コード情報を受信するための画像情報及び電子番組コード情報受信部を有する請求項８又は９に記載の番組録画予約装置。
【請求項１１】
前記通信端末は、携帯型である請求項１から７のいずれか一に記載の通信端末。
【請求項１２】
前記通信端末は、携帯電話機能を有する請求項１１に記載の通信端末。
【請求項１３】
前記コード化は、二次元コード化である請求項１から７、１１、又は１２のいずれか一に記載の通信端末。
【請求項１４】
前記コード化は、数値化である請求項１から７、１１、又は１２のいずれか一に記載の通信端末。
【請求項１５】
電子番組情報を取得する電子番組情報取得ステップと、
前記電子番組情報取得ステップで取得した電子番組情報の全部又は一部をコード化して電子番組コード情報とするコード化ステップと、
前記コード化ステップにてコード化された電子番組コード情報を保持する電子番組コード情報保持ステップと、
前記コード保持ステップで保持されている電子番組コード情報を表示するための電子番組コード表示手段を有する表示ステップと、
情報を送信するための送信ステップと、
を有する通信方法。
【請求項１６】
画像を表示するための情報である画像情報を取得する画像情報取得ステップと、
前記画像情報取得ステップで取得した画像情報を保持する画像情報保持ステップと、
前記画像情報保持ステップに保持された画像情報と、前記電子番組コード情報保持ステップに保持された電子番組コード情報とを合成して、合成画像情報とする画像−コード合成ステップと、を有し、
前記表示ステップは、前記画像−コード合成ステップで合成された合成画像情報に基づいて合成画像を表示するための合成画像表示ステップを有する請求項１５に記載の通信方法。
【請求項１７】
前記送信ステップは、画像情報保持ステップに保持された画像情報及び前記電子番組コード情報保持ステップに保持された電子番組コード情報を送信するための画像及びコード送信ステップを有する請求項１６に記載の通信方法。
【請求項１８】
前記合成画像情報送信手段から送信される合成画像情報を受信する合成画像情報受信ステップと、
前記合成画像情報受信ステップで受信した合成画像情報から前記電子番組コードを抽出する電子番組コード抽出ステップと、
前記電子番組コード抽出ステップにて抽出された電子番組コードから前記電子番組情報の全部又は一部を復元するための電子番組情報復元ステップと、
前記電子番組情報復元ステップにて復元された電子番組情報に基づいて電子番組を表示するための電子番組表示ステップと、
を有する番組録画予約方法。
【発明の詳細な説明】
【技術分野】
【０００１】
本発明は、電子番組ガイドを受信し表示が可能な通信端末及び受信した電子番組ガイドのコード化技術および復号化技術を用いた番組録画予約装置に関する。
【背景技術】
【０００２】
従来、ＥＰＧ（Ｅｌｅｃｔｒｏｎｉｃ  Ｐｒｏｇｒａｍ  Ｇｕｉｄｅ：電子番組ガイド）データを利用した番組視聴または録画のタイマー予約を行う技術として、特許文献１に開示されている技術が知られている。特許文献１などの従来の技術では、通信端末装置がＥＰＧデータを受信して、電子番組を表示部に表示するが、その受信した電子番組は画面上にテキスト形式で表示される。そのため番組時間、コンテンツ、出演者などが解かり易く表示されるという特徴がある。
【特許文献１】特開２００２−２５２７８９号
【発明の開示】
【発明が解決しようとする課題】
【０００３】
しかしながら、上述した技術では、その反面、他人に容易に録画予約内容を見られてしまうという欠点がある。また、通信端末は、それが携帯型である場合には、本来、小型化を目的としているので、表示部の領域も必然的に小さくなってしまう。このため電子番組表のうちの一つの番組を表示するだけで、表示部領域の全域を使用せざるを得なくなり、他の画像を同時に表示できないという欠点を有している。さらに、従来の番組録画予約装置では、電子番組情報の録画が複数予約された場合には、番組録画予約者と録画予約した電子番組情報の対応付けがされていないため、番組録画予約者の特定を一目瞭然に、且つ瞬時に判別ができないという欠点がある。
【課題を解決するための手段】
【０００４】
本件発明は、上記課題に鑑みなされたものである。
【０００５】
第一の発明は、電子番組情報を取得する電子番組情報取得部と、前記電子番組情報取得部で取得した電子番組情報の全部又は一部をコード化して電子番組コード情報とするコード化部と、前記コード化部にてコード化された電子番組コード情報を保持する電子番組コード情報保持部と、前記電子番組コード情報保持で保持されている電子番組コード情報を表示するための電子番組コード表示手段を有する表示部と、情報を送信するための送信部と、を有する通信端末に関する。
【０００６】
第二の発明は、画像を表示するための情報である画像情報を取得する画像情報取得部と、前記画像情報取得部で取得した画像情報を保持する画像情報保持部と、前記画像情報保持部に保持された画像情報と、前記電子番組コード情報保持部に保持された電子番組コード情報とを合成して、合成画像情報とする画像−コード合成部と、を有し、前記表示部は、前記画像−コード合成部で合成された合成画像情報に基づいて合成画像を表示するための合成画像表示手段を有する請求項１に記載の通信端末に関する。
【０００７】
第三の発明は、前記画像−コード合成部は、一の画像情報に対して複数の電子番組コード情報を合成するための複数コード合成手段を有する第二の発明に記載の通信端末に関する。
【０００８】
第四の発明は、前記画像情報保持部に保持された画像情報と、前記電子番組コード情報保持部に保持された電子番組コード情報とをリンク付けするためのリンク情報を生成するリンク情報生成部をさらに有する第二の発明又は第三の発明に記載の通信端末に関する。
【０００９】
第五の発明は、前記送信部は、前記画像−コード合成部で合成された合成画像情報を送信するための合成画像情報送信手段を有する第二の発明から第四の発明のいずれか一に記載の通信端末に関する。
【００１０】
第六の発明は、前記送信部は、さらに前記リンク情報生成部で生成されたリンク情報を送信するためのリンク情報送信手段を有する第四の発明に記載の通信端末に関する。
【００１１】
第七の発明は、前記送信部は、画像情報保持部に保持された画像情報及び前記電子番組コード情報保持部に保持された電子番組コード情報を送信するための画像及びコード送信手段を有する第二の発明から第六の発明のいずれか一に記載の通信端末に関する。
【００１２】
第八の発明は、前記合成画像情報送信手段から送信される合成画像情報を受信する合成画像情報受信部と、前記合成画像情報受信部で受信した合成画像情報から前記電子番組コードを抽出する電子番組コード抽出部と、前記電子番組コード抽出部にて抽出された電子番組コードから前記電子番組情報の全部又は一部を復元するための電子番組情報復元部と、前記電子番組情報復元部にて復元された電子番組情報に基づいて電子番組を表示するための電子番組表示部と、を有する番組録画予約装置に関する。
【００１３】
第九の発明は、前記リンク情報送信手段から送信されたリンク情報を受信するためのリンク情報受信部を有する第八の発明に記載の番組録画予約装置に関する。
【００１４】
第十の発明は、前記画像及びコード送信手段から送信された画像情報及び電子番組コード情報を受信するための画像情報及び電子番組コード情報受信部を有する第八の発明又は第九の発明に記載の番組録画予約装置に関する。
【００１５】
第十一の発明は、前記通信端末は、携帯型である第一の発明から第七の発明のいずれか一に記載の通信端末に関する。
【００１６】
第十二の発明は、前記通信端末は、携帯電話機能を有する第十一の発明に記載の通信端末に関する。
【００１７】
第十三の発明は、前記コード化は、二次元コード化である第一の発明から第七の発明、第十一の発明、又は第十二の発明のいずれか一に記載の通信端末に関する。
【００１８】
第十四の発明は、前記コード化は、数値化である第一の発明から第七の発明、第十一の発明、又は第十二の発明のいずれか一に記載の通信端末に関する。
【発明の効果】
【００１９】
本件発明によれば、電子番組提供サイト等から受信したテレビの電子番組表から選択して録画予約した電子番組情報をコード化することにより、電子番組情報を秘匿して表示することができる。なぜならば電子番組情報を、通常は第三者に分からないようにコード化することができるからである。したがって、通信端末を複数の人と共有する際に、複数の人が一つの通信端末装置で番組録画予約をしても個人の電子番組情報が他に漏れることなく利用することができる。また、電子番組情報を二次元コード化、数値化することにより、録画予約した電子番組情報を表示するための領域を小さくすることが可能となる。したがって、表示部の小さな通信端末においても、画像と同時にコード化された電子番組情報（以下、電子番組コード情報という）を表示することが可能となる。
【００２０】
さらに、番組録画予約装置は、通信端末において電子番組コード情報と番組録画予約者を示す画像情報とを受信し、関連付けて表示することができる。また番組録画予約装置は、番組録画予約者を示す画像情報と関連付けて、電子番組コード情報から電子番組情報を復元することもできる。したがって番組録画予約装置の表示を見ることにより、番組録画予約者が何人いて、どの程度の録画予約がなされているか、どのような内容かをも番組録画予約者毎に一目瞭然に把握することが可能となる。
【発明を実施するための最良の形態】
【００２１】
以下に本件発明の実施形態を説明する。実施形態と、請求項との関係はおおむね次のようなものである。
実施形態１は、主に、請求項１、１１、１２、１５などについて説明している。
実施形態２は、主に、請求項２、１６などについて説明している。
実施形態３は、主に、請求項３について説明している。
実施形態４は、主に、請求項４について説明している。
実施形態５は、主に、請求項５について説明している。
実施形態６は、主に、請求項６について説明している。
実施形態７は、主に、請求項７、１７などについて説明している。
実施形態８は、主に、請求項８、１８などについて説明している。
実施形態９は、主に、請求項９について説明している。
実施形態１０は、主に、請求項１０について説明している。
実施形態１１は、主に、請求項１３について説明している。
実施形態１２は、主に、請求項１４について説明している。
以下に、図を用いて本発明の実施の形態を説明する。なお、本発明はこれら実施の形態に何ら限定されるものではなく、その要旨を逸脱しない範囲において、種々なる態様で実施しうる。
【００２２】
<<実施形態１>>
以下に実施形態１について説明する。
【００２３】
<実施形態１の概念>
以下に本実施形態の概念について説明する。
本実施形態の通信端末は、電子番組情報を取得してコード化し、コード化された電子番組コード情報をディスプレイなどの表示部に表示することができる。通信端末を複数の人が使用する場合には、他人に自分の録画予約した電子番組情報の内容を見られることを防止できる。なぜならば電子番組情報を、通常、第三者に分からないようにコード化できるからである。また、電子番組コード情報を含む情報を番組録画予約装置（実施形態８に記述）に送付することができる。
【００２４】
<構成要件の明示>
以下に、本実施形態の通信端末の構成要件を明示する。
図１は、本実施形態の機能ブロック図の一例である。通信端末０１００は、電子番組情報取得部０１０１と、コード化部０１０２と、電子番組コード情報保持部０１０３と、表示部０１０４と、送信部０１０５と、からなる。また、表示部は、電子番組コード表示手段（図示はしていない）を有する。
【００２５】
<構成要件の説明>
以下に、本実施形態の構成要件について説明する。
【００２６】
（電子番組情報取得部）
「電子番組情報取得部」は、電子番組情報を取得するように構成されている。ここで「電子番組情報」とは、放送電波の隙間を使って送出され、テレビなどのディスプレイ画面で見られるようにした番組表データのことをいう。電子番組情報は、電子番組表、電子番組ガイド、ＥＰＧ（Ｅｌｅｃｔｒｏｎｉｃ  Ｐｒｏｇｒａｍ  Ｇｕｉｄｅ）ともいう。
【００２７】
視聴者はこの電子番組情報をもとにチャンネルを切り替えて番組を選択することができる。また電子番組表のデータを使って、録画予約などをすることもできる。さらに電子番組情報を利用すると、テレビなどのディスプレイ画面上で番組表を見る事が出来るほか、出演者やジャンルなど様々な角度で番組コンテンツを検索することができる。例えば、全局電子番組ガイド（当日を含めた７日分の番組表）、各局電子番組ガイド（当日を含めた７日分以上の番組表や個々の番組の詳しい情報）、画面上での番組選択、予約視聴（録画）、ジャンル別番組表などが挙げられる。
【００２８】
図２は、電子番組情報の一例を示す図である。各チャンネル（ＢＳ１００、ＢＳ１０１、ＢＳ１０２、ＢＳ１０３、ＢＳ１０４）にて１０月１日（月）に放送予定のスポーツに関する番組表を示したものである。
【００２９】
なお、電子番組情報は、デジタル放送に限定されて使用されるものではない。デジタル放送においては、電子番組表の規格が定まっているが、アナログ放送においては特に規格は定まっていない。しかしながらアナログ放送では、垂直帰線区間にデータを重畳することによって番組表を送信し、対応受信機で受信を行ったり、インターネット経由でデータを配信し、対応受信機でダウンロードを行ったりすることにより、電子番組表の実現が可能である。ここで「垂直帰線区間」とは、テレビ信号を得る際に、画面の上から下までを走査し、次の走査を開始するために元の位置に戻るまでの間の映像信号を含まない期間のことをいう。この期間に垂直同期信号が挿入されるが、ＶＩＴＳ信号（Ｖｅｒｔｉｃａｌ  Ｉｎｔｅｒｖａｌ  Ｔｅｓｔ  Ｓｉｇｎａｌ：垂直帰線期間測定信号。複合カラー信号の垂直消去期間に挿入する伝送回路のテスト信号）、静止画放送用信号、文字放送信号なども必要に応じてこの期間内に挿入される。
【００３０】
また電子番組情報の取得は、番組のコンテンツを提供する放送局などから直接に取得することに限定されず、電子番組情報を専門に提供するインターネットサイトなどから取得してもよい。電子番組情報取得部は、取得した電子番組情報を、コード化部に出力する。
【００３１】
（コード化部）
「コード化部」は、電子番組コード情報を生成するように構成されている。ここで「電子番組コード情報」とは、電子番組情報取得部で取得した電子番組情報の全部又は一部をコード化した情報のことをいう。電子番組コード情報には、自身を識別するためのＩＤ、関連付けられている情報を示すＩＤなどの情報が含まれていてもよい。また「コード化」とは、電子番組情報を符号化することをいう。コード化には、一例として、一次元コード化と二次元コード化が挙げられる。一次元コード化には、例えば、元の情報を英数字、記号などのテキスト情報に変換するもの、元の情報を水平方向（横方向）にのみ情報をもつバーコードに変換するものなどが挙げられる。また二次元コードには、バーコードを多段に積み重ねたスタック型二次元コード、マス目を塗りつぶしたような形をしたマトリックス型二次元コードなどが挙げられる。スタック型二次元コードには、一例として、ＰＤＦ４１７、コード４９、コード１６Ｋ、コーダブロックなどが挙げられる。マトリックス型二次元コードには、一例として、データコード、ＱＲコード（登録商標）、マキシコード、ＣＰコードなどが挙げられる。その他の二次元コードには、一例として、アレイタグ、コードワン、ベリコード（登録商標）、カルラコード（登録商標）、ボックス図形コード、ソフトストリップなどが挙げられる。スタック型二次元コードの読取方式には、一例として、レーザー方式、ＣＣＤラインセンサ方式などがある。マトリックス型二次元コードの読取方式には、一例として、ＣＣＤエリアセンサ方式などがある。なお、コード化によって、電子番組情報の内容が一見して第三者に分からないようにすることもできる。例えば、二次元コードであるＱＲコードなどを使用することにより、電子番組情報の秘匿性が高まる。
【００３２】
また「電子番組情報の全部」とは、取得した電子番組情報の全部のことをいう。例えば、取得した全局電子番組ガイド（当日を含めた７日分の番組表）、各局電子番組ガイド（当日を含めた７日分以上の番組表や個々の番組の詳しい情報）、ジャンル別番組表などが挙げられる。また「電子番組情報の一部」とは、取得した電子番組情報の一部のことをいう。例えば、取得した全局電子番組ガイド（当日を含めた７日分の番組表）の中の１日分の電子番組情報、スポーツ放送などのある特定時間帯の電子番組情報などが挙げられる。
なお、コード化される電子番組コード情報は複数あってもよい。
コード化部は、コード化した電子番組コード情報を、電子番組コード情報保持部に出力する。
【００３３】
（電子番組コード情報保持部）
「電子番組コード情報保持部」は、コード化部にてコード化された電子番組コード情報を保持するように構成されている。電子番組コード情報保持部は、保持した電子番組コード情報を、表示部と送信部に出力する。
【００３４】
（表示部）
「表示部」は、電子番組コード表示手段を有するように構成されている。ただし、これ以外の手段、例えば、電子番組情報を表示する手段、画像情報を表示する手段などを有していてもよい。「電子番組コード表示手段」とは、電子番組コード情報保持部で保持されている電子番組コード情報を表示するための手段のことをいう。電子番組コード表示手段には、一例として、液晶ディスプレイ、有機ＥＬ、プラズマディスプレイ、ＣＲＴディスプレイなどが該当する。通信端末が携帯型である場合には、液晶ディスプレイ、有機ＥＬなどが適している。なお、表示された電子番組コード情報は、コード化されているため、内容を認識することはできないが、何がしかの電子番組情報が存在することは認識できる。このため実際に予約操作が正常に完了したかどうかをディスプレイ上で確認することができる。
【００３５】
（送信部）
「送信部」は、情報を送信するように構成されている。ここで「情報」には、一例として、電子番組コード情報、音声情報、画像情報、文字情報などが挙げられる。送信部が行う送信には、無線電波を利用するものと、有線を利用するものがある。なお、送信された電子番組コード情報は、番組録画予約装置（実施形態８に記述）にて受信される。
【００３６】
（通信端末）
なお、本件発明の通信端末は、固定通信端末に限定されずＰＤＡ（Ｐｅｒｓｏｎａｌ  Ｄｉｇｉｔａｌ  Ａｓｓｉｓｔａｎｔｓ）などの携帯型通信端末であってもよい。さらに携帯型通信端末は、携帯電話機能を有するものであってもよい。また写真機能を有する携帯電話端末であってもよい。
【００３７】
<処理の流れ>
以下に本実施形態の処理の流れについて説明する。なお、以下に示す処理の流れは、方法、計算機に実行させるためのプログラム、またはそのプログラムが記録された読み取り可能な記録媒体として実施されうる（これは、本明細書のその他の処理の流れについても同様である）。      図３は、本実施形態の処理の流れの一例を示す図である。    まず、電子番組情報取得ステップにおいて、通信端末は、電子番組情報を取得する（ステップＳ０３０１）。次に、コード化ステップにおいて、通信端末は、電子番組情報取得ステップで取得した電子番組情報の全部又は一部をコード化して電子番組コード情報とする（ステップＳ０３０２）。次に、電子番組コード情報保持ステップにおいて、通信端末は、コード化ステップにてコード化された電子番組コード情報を保持する（ステップＳ０３０３）。次に、表示ステップにおいて、通信端末は、電子番組コード情報保持ステップで保持されている電子番組コード情報を表示する（ステップＳ０３０４）。次に、送信ステップにおいて、通信端末は、情報を送信する（ステップＳ０３０５）。  なお、上記ステップＳ０３０４とステップＳ０３０５の順序は問わない。
【００３８】
<具体例に基づく説明>
以下に本実施形態の具体例について説明する。      図４は、本実施形態の具体的機能ブロック図の一例である。通信端末０４００は、電子番組情報取得部０４０１と、コード化部０４０２と、電子番組コード情報保持部０４０３と、表示部０４０４と、送信部０４０５と、からなる。また、表示部は、電子番組コード表示手段（図示はしていない）を有する。なお、図４に記載のデータ例については、図５に記載のデータ例と同じであるので、図５の説明において明示する。
図５は、本実施形態の具体的処理の流れの一例を示す図である。  まず、電子番組情報取得ステップにおいて、通信端末は、電子番組情報（チャンネル：ＢＳ１００、日時：１０月１日（月）２０：００〜２２：３０、番組：イタリアサッカー）を取得する（ステップＳ０５０１）。次に、コード化ステップにおいて、通信端末は、電子番組情報取得ステップで取得した電子番組情報（チャンネル：ＢＳ１００、日時：１０月１日（月）２０：００〜２２：３０、番組：イタリアサッカー）をコード化して電子番組コード情報（図５に示すコード化された文字）とする（ステップＳ０５０２）。次に、電子番組コード情報保持ステップにおいて、通信端末は、コード化ステップにてコード化された電子番組コード情報（図５に示すコード化された文字）を保持する（ステップＳ０５０３）。次に、表示ステップにおいて、通信端末は、電子番組コード情報保持ステップで保持されている電子番組コード情報（図５に示すコード化された文字）を表示する（ステップＳ０５０４）。次に、送信ステップにおいて、通信端末は、情報（図５に示すコード化された文字、太郎の予約）を送信する（ステップＳ０５０５）。なお、上記ステップＳ０５０４とステップＳ０５０５の順序は問わない。
【００３９】
<実施形態１の効果の簡単な説明>
本実施形態の通信端末は、電子番組情報を取得してコード化し、コード化された電子番組コード情報をディスプレイなどの表示部に表示することができる。したがって通信端末を複数の人が使用する場合には、他人に自分の録画予約した電子番組情報の内容を見られることを防止できる。なぜならば電子番組情報を、通常は第三者に分からないようにコード化することができるからである。また、電子番組コード情報を含む情報を番組録画予約装置に送信することができる。
【００４０】
<<実施形態２>>
以下に実施形態２について説明する。
【００４１】
<実施形態２の概念>
以下に本実施形態の概念について説明する。本実施形態の通信端末は、電子番組情報を取得してコード化し、コード化された電子番組コード情報と、画像情報を合成して合成画像情報（後述する）とすることにより、ディスプレイなどの表示部に表示することができる。
【００４２】
<構成要件の明示>
以下に、本実施形態の通信端末の構成要件を明示する。      図６は、本実施形態の機能ブロック図の一例である。通信端末０６００は、電子番組情報取得部０６０１と、コード化部０６０２と、電子番組コード情報保持部０６０３と、表示部０６０４と、送信部０６０５と、画像情報取得部０６０６と、画像情報保持部０６０７と、画像−コード合成部０６０８と、からなる。また、表示部は、電子番組コード表示手段（図示はしていない）と、合成画像表示手段０６０９と、を有する。
【００４３】
<構成要件の説明>
以下に、本実施形態の構成要件について説明する。
【００４４】
（電子番組情報取得部）、（コード化部）、（電子番組コード情報保持部）
「電子番組情報取得部」、「コード化部」、「電子番組コード情報保持部」については、実施形態１と同様なので説明を省略する。
【００４５】
（画像情報取得部）
「画像情報取得部」は、画像を表示するための情報である画像情報を取得するように構成されている。ここで「画像情報」とは、画像として表示可能なデータの集まりのことをいう。画像情報には、自身を識別するためのＩＤ、関連付けを示すＩＤなどの情報が含まれていてもよい。画像には、一例として、写真、アニメ、漫画などが挙げられる。また、画像情報のデータ形式は、一例として、ＴＩＦＦ（Ｔａｇｇｅｄ−Ｉｍａｇｅ  Ｆｉｌｅ  Ｆｏｒｍａｔ）、ＧＩＦ（Ｇｒａｐｈｉｃｓ  Ｉｎｔｅｒｃｈａｎｇｅ  Ｆｏｒｍａｔ）、ＰＮＧ（Ｐｏｒｔａｂｌｅ  Ｎｅｔｗｏｒｋ  Ｇｒａｐｈｉｃｓ）、ＪＰＥＧ（Ｊｏｉｎｔ  Ｐｈｏｔｏｇｒａｐｈｉｃ  Ｅｘｐｅｒｔｓ  Ｇｒｏｕｐ）、ＰＳ（ＰｏｓｔＳｃｒｉｐｔ）、ＰＤＦ（Ｐｏｒｔａｂｌｅ  Ｄｏｃｕｍｅｎｔ  Ｆｏｒｍａｔ）  ＢＭＰ（Ｍｉｃｒｏｓｏｆｔ  Ｗｉｎｄｏｗｓ（登録商標）  Ｄｅｖｉｃｅ  Ｉｎｄｅｐｅｎｄｅｎｔ  Ｂｉｔｍａｐ）などが挙げられる。画像情報取得部は、取得した画像情報を、画像情報保持部に出力する。
【００４６】
（画像情報保持部）
「画像情報保持部」は、画像情報取得部で取得した画像情報を保持するように構成されている。画像情報保持部は、保持した画像情報を画像−コード合成部に出力する。
【００４７】
（画像−コード合成部）
「画像−コード合成部」は、画像情報保持部に保持された画像情報と、電子番組コード情報保持部に保持された電子番組コード情報とを合成して、合成画像情報とするように構成されている。ここで「合成画像情報」とは、合成画像として表示可能なデータの集まりのことをいう。合成画像情報には、一例として、電子番組コード情報を画像情報に変換し、画像情報保持部に保持された画像情報と一体化させたものと、電子番組コード情報を画像情報に変換せずに、画像情報保持部に保持された画像情報と一体化させたものがある。前者は、電子番組コード情報を画像情報に変換して、画像情報保持部に保持された画像情報と重畳することで合成画像情報とするので、合成画像情報から電子番組コード情報を抽出することはできない。これに対して、後者は、電子番組コード情報を画像情報に変換せずに、画像情報保持部に保持された画像情報と重畳することで合成画像情報とするので、合成画像情報から電子番組コード情報を抽出することができる。なお、合成画像情報は複数あってもよい。画像−コード合成部は、合成画像情報を、表示部、送信部などに出力する。
【００４８】
（表示部）
「表示部」は、合成画像表示手段を有するように構成されている。「合成画像表示手段」は、画像−コード合成部で合成された合成画像情報に基づいて合成画像を表示する。それ以外は実施形態１の表示部と同様なので説明を省略する。
【００４９】
（送信部）
「送信部」は、合成画像情報を送信するように構成されている。それ以外は実施形態１の送信部と同様なので説明を省略する。
【００５０】
<処理の流れ>
以下に本実施形態の処理の流れについて説明する。      図７は、本実施形態の処理の流れの一例を示す図である。なお、ステップＳ０７０１〜Ｓ０７０５については、実施形態１のステップＳ０３０１〜Ｓ０３０５と同様であるので説明を省略する。  まず、画像情報取得ステップにおいて、通信端末は、画像を表示するための情報である画像情報を取得する（ステップＳ０７０６）。次に、画像情報保持ステップにおいて、通信端末は、画像情報取得ステップで取得した画像情報を保持する（ステップＳ０７０７）。次に、画像−コード合成ステップにおいて、通信端末は、画像情報保持ステップにて保持された画像情報と、電子番組コード情報保持ステップにて保持された電子番組コード情報とを合成して、合成画像情報とする（ステップＳ０７０８）。次に、表示ステップにおいて、通信端末は、画像−コード合成ステップで合成された合成画像情報に基づいて合成画像を表示する（ステップＳ０７０９）。
【００５１】
<具体例に基づく説明>
以下に本実施形態の具体例について説明する。      図８は、本実施形態の具体的機能ブロック図の一例である。通信端末０８００は、電子番組情報取得部０８０１と、コード化部０８０２と、電子番組コード情報保持部０８０３と、表示部０８０４と、送信部０８０５と、画像情報取得部０８０６と、画像情報保持部０８０７と、画像−コード合成部０８０８と、からなる。また、表示部は、電子番組コード表示手段（図示はしていない）と、合成画像表示手段０８０９と、を有する。なお、図８に記載のデータ例については、図９、１０に記載のデータ例と同じであるので、図９、１０の説明において明示する。      図９、１０は、本実施形態の具体的処理の流れの一例を示す図である。
（電子番組コード情報の生成ステップ）
図９のステップＳ０９０１〜Ｓ０９０５については、実施形態１のステップＳ０５０１〜Ｓ０５０５と同様であるので説明を省略する。
（合成画像情報の生成ステップ）
まず、画像情報取得ステップにおいて、通信端末は、画像を表示するための情報である画像情報（図１０に示す画像）を取得する（ステップＳ１００６）。次に、画像情報保持ステップにおいて、通信端末は、画像情報取得ステップで取得した画像情報（図１０に示す画像）を保持する（ステップＳ１００７）。次に、画像−コード合成ステップにおいて、通信端末は、画像情報保持ステップにて保持された画像情報（図１０に示す画像）と、電子番組コード情報保持ステップにて保持された電子番組コード情報（図９に示すコード化された文字）とを合成して、合成画像情報（図１０に示す画像）とする（ステップＳ１００８）。次に、表示ステップにおいて、通信端末は、画像−コード合成ステップで合成された合成画像情報に基づいて合成画像（図１０に示す画像）を表示する（ステップＳ１００９）。
【００５２】
<実施形態２の効果の簡単な説明>
本実施形態の通信端末は、コード化された電子番組コード情報と画像情報を合成して合成画像情報とすることができる。また、合成画像をディスプレイなどの表示部に表示することができる。さらにカメラ付きの通信端末の場合には、番組録画予約者を撮影し、撮影した写真と予約番組を合成して合成画像情報とすることにより、該番組録画予約者と録画予約番組との関連付けが可能となる。
【００５３】
<<実施形態３>>
以下に実施形態３について説明する。
【００５４】
<実施形態３の概念>
以下に本実施形態の概念について説明する。  本実施形態の通信端末は、画像−コード合成部が、一の画像情報に対して複数の電子番組コード情報を合成するための複数コード合成手段を有する実施形態２に記載の通信端末に関する。
【００５５】
<構成要件の明示>
以下に、本実施形態の通信端末の構成要件を明示する。      図１１は、本実施形態の機能ブロック図の一例である。通信端末１１００は、電子番組情報取得部１１０１と、コード化部１１０２と、電子番組コード情報保持部１１０３と、表示部１１０４と、送信部１１０５と、画像情報取得部１１０６と、画像情報保持部１１０７と、画像−コード合成部１１０８と、からなる。また、表示部は、電子番組コード表示手段（図示はしていない）と、合成画像表示手段１１０９と、を有する。画像−コード合成部は、複数コード合成手段１１１０を有する。
【００５６】
<構成要件の説明>
以下に、本実施形態の構成要件について説明する。  「画像−コード合成部」以外の構成要件については、実施形態２と同様なので説明を省略する。
【００５７】
（画像−コード合成部）
「画像−コード合成部」は、複数コード合成手段を有するように構成されている。ここで「複数コード合成手段」とは、一の画像情報に対して複数の電子番組コード情報を合成する手段のことをいう。それ以外は実施形態２と同様なので説明を省略する。  画像−コード合成部は、合成画像情報を、表示部、送信部などに出力する。
【００５８】
<処理の流れ>
以下に本実施形態の処理の流れについて説明する。
図１２は、本実施形態の処理の流れの一例を示す図である。なお、ステップＳ１２０１〜Ｓ１２０５については、実施形態２のステップＳ０７０１〜Ｓ０７０５と同様であるので説明を省略する。      まず、画像情報取得ステップにおいて、通信端末は、画像を表示するための情報である画像情報を取得する（ステップＳ１２０６）。次に、画像情報保持ステップにおいて、通信端末は、画像情報取得ステップで取得した画像情報を保持する（ステップＳ１２０７）。次に、画像−コード合成ステップにおいて、通信端末は、画像情報保持ステップにて保持された一の画像情報と、電子番組コード情報保持ステップにて保持された複数の電子番組コード情報とを合成して、合成画像情報とする（ステップＳ１２０８）。次に、表示ステップにおいて、通信端末は、画像−コード合成ステップで合成された合成画像情報に基づいて合成画像を表示する（ステップＳ１２０９）。
【００５９】
<具体例に基づく説明>
以下に本実施形態の具体例について説明する。      図１３は、本実施形態の具体的機能ブロック図の一例である。通信端末１３００は、電子番組情報取得部１３０１と、コード化部１３０２と、電子番組コード情報保持部１３０３と、表示部１３０４と、送信部１３０５と、画像情報取得部１３０６と、画像情報保持部１３０７と、画像−コード合成部１３０８と、からなる。また、表示部は、電子番組コード表示手段（図示はしていない）と、合成画像表示手段１３０９と、を有する。画像−コード合成部は、複数コード合成手段１３１０を有する。なお、図１３に記載のデータ例については、図１４、１５に記載のデータ例と同じであるので、図１４、１５の説明において明示する。      図１４、１５は、本実施形態の具体的処理の流れの一例を示す図である。
（電子番組コード情報の生成ステップ）
まず、電子番組情報取得ステップにおいて、通信端末は、電子番組情報１（チャンネル：ＢＳ１００、日時：１０月１日（月）２０：００〜２２：３０、番組：イタリアサッカー）、電子番組情報２（チャンネル：ＢＳ１０３、日時：１０月４日（木）１９：００〜２１：３０、番組：アジア杯サッカー）を取得する（ステップＳ１４０１）。次に、コード化ステップにおいて、通信端末は、電子番組情報取得ステップで取得した電子番組情報１、２をコード化して電子番組コード情報１、２（図１４に示すコード化された文字）とする（ステップＳ１４０２）。次に、電子番組コード情報保持ステップにおいて、通信端末は、コード化ステップにてコード化された電子番組コード情報１、２（図１４に示すコード化された文字）を保持する（ステップＳ１４０３）。次に、表示ステップにおいて、通信端末は、電子番組コード情報保持ステップで保持されている電子番組コード情報１、２（図１４に示すコード化された文字）を表示する（ステップＳ１４０４）。次に、送信ステップにおいて、通信端末は、情報（図１４に示すコード化された文字、太郎の予約）を送信する（ステップＳ１４０５）。      なお、上記ステップＳ１４０４とステップＳ１４０５の順序は問わない。
（合成画像情報の生成ステップ）
まず、画像情報取得ステップにおいて、通信端末は、画像を表示するための情報である画像情報（図１５に示す画像）を取得する（ステップＳ１５０６）。次に、画像情報保持ステップにおいて、通信端末は、画像情報取得ステップで取得した画像情報（図１５に示す画像）を保持する（ステップＳ１５０７）。次に、画像−コード合成ステップにおいて、通信端末は、画像情報保持ステップにて保持された一の画像情報（図１５に示す画像）と、電子番組コード情報保持ステップにて保持された電子番組コード情報１、２（図１５に示すコード化された文字）とを合成して、合成画像情報（図１５に示す画像）とする（ステップＳ１５０８）。次に、表示ステップにおいて、通信端末は、画像−コード合成ステップで合成された合成画像情報に基づいて合成画像（図１５に示す画像）を表示する（ステップＳ１５０９）。
【００６０】
<実施形態３の効果の簡単な説明>
本実施形態の通信端末は、一の画像情報に対して複数の電子番組コード情報を合成して合成画像情報とすることができる。このため、一人の番組録画予約者が複数の番組を予約する場合においても、一の合成画像をディスプレイに表示することで複数の予約をしていることが把握できる。
【００６１】
<<実施形態４>>
以下に実施形態４について説明する。
【００６２】
<実施形態４の概念>
以下に本実施形態の概念について説明する。  本実施形態の通信端末は、画像情報保持部に保持された画像情報と、電子番組コード情報保持部に保持された電子番組コード情報とをリンク付けするためのリンク情報を生成するリンク情報生成部をさらに有する実施形態２又は３に記載の通信端末に関する。
【００６３】
<構成要件の明示>
以下に、本実施形態の通信端末の構成要件を明示する。  図１６は、本実施形態の機能ブロック図の一例である。通信端末１６００は、電子番組情報取得部１６０１と、コード化部１６０２と、電子番組コード情報保持部１６０３と、表示部１６０４と、送信部１６０５と、画像情報取得部１６０６と、画像情報保持部１６０７と、画像−コード合成部１６０８と、リンク情報生成部１６１０と、からなる。また、表示部は、電子番組コード表示手段（図示はしていない）と、合成画像表示手段１１０９と、を有する。
【００６４】
<構成要件の説明>
以下に、本実施形態の構成要件について説明する。    「リンク情報生成部」以外の構成要件については、実施形態２又は３と同様なので説明を省略する。
【００６５】
（リンク情報生成部）
「リンク情報生成部」は、リンク情報を生成するように構成されている。ここで「リンク情報」とは、画像情報保持部に保持された画像情報と、電子番組コード情報保持部に保持された電子番組コード情報とをリンク付けするための情報のことをいう。リンク情報には、一例として、リンクＩＤなどが挙げられる。リンクＩＤは、各リンクをユニークに識別するための情報として利用される。例えば、同じリンクＩＤを持っている電子番組コード情報と画像情報はリンクＩＤによって関連付けられている。
【００６６】
図１７は、リンクＩＤを説明するための図である。例えば、リンク元である電子番組コード情報（ＩＤ：Ｃ０００７）と、リンク先である画像情報（ＩＤ：Ｇ０００１）は、リンク情報（ＩＤ：００００  ０００１）によってリンク付けされていることを示している。
リンク情報生成部は、リンク情報を、表示部、送信部などに出力する。
【００６７】
<処理の流れ>
以下に本実施形態の処理の流れについて説明する。      図１８は、本実施形態の処理の流れの一例を示す図である。なお、ステップＳ１８０１〜Ｓ１８０９については、実施形態２又は３の処理の流れと同様であるので説明を省略する。  リンク情報生成ステップにおいて、通信端末は、画像情報保持ステップにて保持された画像情報と、電子番組コード情報保持ステップにて保持された電子番組コード情報とをリンク付けするためのリンク情報を生成する（ステップＳ１８１０）。
【００６８】
<具体例に基づく説明>
以下に本実施形態の具体例について説明する。      図１９は、本実施形態の具体的機能ブロック図の一例である。通信端末１９００は、電子番組コード情報保持部１９０１と、電子番組情報取得部１９０２と、リンク情報生成部１９０３と、を有している。なお、電子番組コード情報ＩＤをＣ０００７、画像情報ＩＤをＧ０００１としている。また、他の構成要件は図には示していない。なお、図１９に記載のデータ例については、図２０、２１に記載のデータ例と同じであるので、図２０、２１の説明において明示する。      図２０、２１は、本実施形態の具体的処理の流れの一例を示す図である。
（電子番組コード情報の生成ステップ）
まず、電子番組情報取得ステップにおいて、通信端末は、電子番組情報（チャンネル：ＢＳ１００、日時：１０月１日（月）２０：００〜２２：３０、番組：イタリアサッカー）を取得する（ステップＳ２００１）。次に、コード化ステップにおいて、通信端末は、電子番組情報取得ステップで取得した電子番組情報をコード化して電子番組コード情報（ＩＤ：Ｃ０００７、図２０に示すコード化された文字）とする（ステップＳ２００２）。次に、電子番組コード情報保持ステップにおいて、通信端末は、コード化ステップにてコード化された電子番組コード情報（ＩＤ：Ｃ０００７、図２０に示すコード化された文字）を保持する（ステップＳ２００３）。次に、表示ステップにおいて、通信端末は、電子番組コード情報保持ステップで保持されている電子番組コード情報（ＩＤ：Ｃ０００７、図２０に示すコード化された文字）を表示する（ステップＳ２００４）。次に、送信ステップにおいて、通信端末は、情報（ＩＤ：Ｃ０００７、図２０に示すコード化された文字、太郎の予約）を送信する（ステップＳ２００５）。  なお、上記ステップＳ２００４とステップＳ２００５の順序は問わない。
（合成画像情報の生成ステップ）
まず、画像情報取得ステップにおいて、通信端末は、画像を表示するための情報である画像情報（ＩＤ：Ｇ０００１、図２１に示す画像）を取得する（ステップＳ２１０６）。次に、画像情報保持ステップにおいて、通信端末は、画像情報取得ステップで取得した画像情報（ＩＤ：Ｇ０００１、図２１に示す画像）を保持する（ステップＳ２１０７）。次に、画像−コード合成ステップにおいて、通信端末は、画像情報保持ステップにて保持された画像情報（ＩＤ：Ｇ０００１、図２１に示す画像）と、電子番組コード情報保持ステップにて保持された電子番組コード情報（ＩＤ：Ｃ０００７、図２０に示すコード化された文字）とを合成して、合成画像情報（図１５に示す画像）とする（ステップＳ２１０８）。次に、表示ステップにおいて、通信端末は、画像−コード合成ステップで合成された合成画像情報に基づいて合成画像（図２１に示す画像）を表示する（ステップＳ２１０９）。次に、リンク情報生成ステップにおいて、通信端末は、画像情報保持ステップにて保持された画像情報と、電子番組コード情報保持ステップにて保持された電子番組コード情報とをリンク付けするためのリンク情報（図２１に示すリンクＩＤ）を生成する（ステップＳ２１１０）。  なお、リンク情報生成ステップは、電子番組コード情報保持ステップと画像情報保持ステップの後ろであれば順序は問わない。
【００６９】
<実施形態４の効果の簡単な説明>
本実施形態の通信端末は、画像情報保持部に保持された画像情報と、電子番組コード情報保持部に保持された電子番組コード情報とをリンク付けすることができる。したがってリンク付けされた画像情報と、電子番組コード情報を合成、表示、送信することができる。
【００７０】
<<実施形態５>>
以下に実施形態５について説明する。
【００７１】
<実施形態５の概念>
以下に本実施形態の概念について説明する。  本実施形態の通信端末は、送信部が、画像−コード合成部で合成された合成画像情報を送信するための合成画像情報送信手段を有する実施形態２から４のいずれか一に記載の通信端末に関する。
【００７２】
<構成要件の明示>
以下に、本実施形態の通信端末の構成要件を明示する。  図２２は、本実施形態の機能ブロック図の一例である。通信端末２２００は、電子番組情報取得部２２０１と、コード化部２２０２と、電子番組コード情報保持部２２０３と、表示部２２０４と、送信部２２０５と、画像情報取得部２２０６と、画像情報保持部２２０７と、画像−コード合成部２２０８と、からなる。また、表示部は、電子番組コード表示手段（図示はしていない）と、合成画像表示手段２２０９と、を有する。さらに送信部は合成画像情報送信手段２２１０を有する。
【００７３】
<構成要件の説明>
以下に、本実施形態の構成要件について説明する。    「合成画像情報送信手段」以外の構成要件については、実施形態２から４のいずれか一と同様なので説明を省略する。
【００７４】
（送信部）
送信部は、合成画像情報送信手段を有するように構成されている。ここで「合成画像情報送信手段」とは、画像−コード合成部で合成された合成画像情報を送信する手段のことをいう。それ以外については、実施形態２から４のいずれか一と同様なので説明を省略する。
【００７５】
<処理の流れ>
以下に本実施形態の処理の流れについて説明する。      図２３は、本実施形態の処理の流れの一例を示す図である。なお、ステップＳ２３０１〜Ｓ２３０９については、実施形態２から４のいずれか一の処理の流れと同様であるので説明を省略する。  合成画像情報送信ステップにおいて、通信端末は、画像−コード合成ステップで合成された合成画像情報を送信する（ステップＳ２３１０）。
【００７６】
<具体例に基づく説明>
以下に本実施形態の具体例について説明する。      図２４は、本実施形態の具体的処理の流れの一例を示す図である。
（電子番組コード情報の生成ステップ）
実施形態２の図９のステップＳ０９０１〜Ｓ０９０５と同様であるので説明を省略する。
（合成画像情報の生成ステップ）
図２４のステップＳ２４０１〜Ｓ２４０５については、実施形態２から４のいずれか一の具体的処理の流れと同様であるので説明を省略する。  合成画像情報送信ステップにおいて、通信端末は、画像−コード合成ステップで合成された合成画像情報（図２４に示す画像）を送信する（ステップＳ２４０５）。
【００７７】
<実施形態５の効果の簡単な説明>
本実施形態の通信端末は、画像−コード合成部で合成された合成画像情報を送信することができる。
【００７８】
<<実施形態６>>
以下に実施形態６について説明する。
【００７９】
<実施形態６の概念>
以下に本実施形態の概念について説明する。  本実施形態の通信端末は、送信部が、さらにリンク情報生成部で生成されたリンク情報を送信するためのリンク情報送信手段を有する実施形態４に記載の通信端末に関する。
【００８０】
<構成要件の明示>
以下に、本実施形態の通信端末の構成要件を明示する。      図２５は、本実施形態の機能ブロック図の一例である。通信端末２５００は、電子番組情報取得部２５０１と、コード化部２５０２と、電子番組コード情報保持部２５０３と、表示部２５０４と、送信部２５０５と、画像情報取得部２５０６と、画像情報保持部２５０７と、画像−コード合成部２５０８と、リンク情報生成部２５１０と、からなる。また、表示部は、電子番組コード表示手段（図示はしていない）と、合成画像表示手段２５０９と、を有する。さらに送信部はリンク情報送信手段２２１１を有する。
【００８１】
<構成要件の説明>
以下に、本実施形態の構成要件について説明する。    「リンク情報送信手段」以外の構成要件については、実施形態４と同様なので説明を省略する。
【００８２】
（送信部）
送信部は、リンク情報送信手段を有するように構成されている。ここで「リンク情報送信手段」とは、リンク情報生成部で生成されたリンク情報を送信する手段のことをいう。それ以外については、実施形態４又は５と同様なので説明を省略する。
【００８３】
<処理の流れ>
以下に本実施形態の処理の流れについて説明する。      図２６は、本実施形態の処理の流れの一例を示す図である。なお、ステップＳ２６０１〜Ｓ２６１０については、実施形態４の処理の流れと同様であるので説明を省略する。  リンク情報送信ステップは、リンク情報生成ステップで生成されたリンク情報を送信する（ステップＳ２６１１）。
【００８４】
<具体例に基づく説明>
以下に本実施形態の具体例について説明する。      図２７は、本実施形態の具体的処理の流れの一例を示す図である。
（電子番組コード情報の生成ステップ）
実施形態４の図２０のステップＳ２００１〜Ｓ２００５と同様であるので説明を省略する。
（合成画像情報の生成ステップ）
図２７のステップＳ２７０１〜Ｓ２７０５については、実施形態４の具体的処理の流れと同様であるので説明を省略する。  リンク情報送信ステップにおいて、通信端末は、リンク情報生成ステップで生成されたリンク情報（図２７に示す）を送信する（ステップＳ２７０６）。
【００８５】
<実施形態６の効果の簡単な説明>
本実施形態の通信端末は、リンク情報生成ステップで生成されたリンク情報を送信することができる。このため送信先において、同じリンク情報を有する電子番組コード情報と画像情報を関連付けることができる。
【００８６】
<<実施形態７>>
以下に実施形態７について説明する。
【００８７】
<実施形態７の概念>
以下に本実施形態の概念について説明する。  本実施形態の通信端末は、送信部が、画像情報保持部に保持された画像情報及び電子番組コード情報保持部に保持された電子番組コード情報を送信するための画像及びコード送信手段を有する実施形態２から６のいずれか一に記載の通信端末に関する。
【００８８】
<構成要件の明示>
以下に、本実施形態の通信端末の構成要件を明示する。      図２８は、本実施形態の機能ブロック図の一例である。通信端末２８００は、電子番組情報取得部２８０１と、コード化部２８０２と、電子番組コード情報保持部２８０３と、表示部２８０４と、送信部２８０５と、画像情報取得部２８０６と、画像情報保持部２８０７と、画像−コード合成部２８０８と、からなる。また、表示部は、電子番組コード表示手段（図示はしていない）と、合成画像表示手段２８０９と、を有する。さらに送信部は画像及びコード送信手段２８１０を有する。なお、リンク情報生成部、リンク情報送信手段を有する構成であってもよい。
【００８９】
<構成要件の説明>
以下に、本実施形態の構成要件について説明する。  「画像及びコード送信手段」以外の構成要件については、実施形態２から６のいずれか一と同様なので説明を省略する。
【００９０】
（送信部）
送信部は、画像及びコード送信手段を有するように構成されている。ここで「画像及びコード送信手段」とは、画像情報保持部に保持された画像情報及び前記電子番組コード情報保持部に保持された電子番組コード情報を送信する手段のことをいう。画像情報と電子番組コード情報のリンク情報を送信する場合には、受信側で、画像情報と電子番組コード情報を関連付けることができる。それ以外については、実施形態２から６のいずれか一と同様なので説明を省略する。
【００９１】
<処理の流れ>
以下に本実施形態の処理の流れについて説明する。      図２９は、本実施形態の処理の流れの一例を示す図である。なお、ステップＳ２９０１〜Ｓ２９０９については、実施形態２から６のいずれか一の処理の流れと同様であるので説明を省略する。  画像及びコード送信ステップにおいて、通信端末は、画像情報保持ステップにて保持された画像情報及び電子番組コード情報保持ステップにて保持された電子番組コード情報を送信する（ステップＳ２９１０）。
【００９２】
<具体例に基づく説明>
以下に本実施形態の具体例について説明する。      図３０は、本実施形態の具体的処理の流れの一例を示す図である。
（電子番組コード情報の生成ステップ）
実施形態２の図９のステップＳ０９０１〜Ｓ０９０５と同様であるので説明を省略する。
（合成画像情報の生成ステップ）
図３０のステップＳ３００１〜Ｓ３００４については、実施形態２から６のいずれか一の具体的処理の流れと同様であるので説明を省略する。  画像及びコード送信ステップにおいて、通信端末は、画像情報保持ステップにて保持された画像情報（図３０に示す画像）及び電子番組コード情報保持ステップにて保持された電子番組コード情報（図３０に示すコード化された文字）を送信する（ステップＳ３００５）。
【００９３】
<実施形態７の効果の簡単な説明>
本実施形態の通信端末は、画像情報及び電子番組コード情報を送信することができる。したがって画像と電子番組コード情報を合成しないで送信することができる。
【００９４】
<<実施形態８>>
以下に実施形態８について説明する。
【００９５】
<実施形態８の概念>
以下に本実施形態の概念について説明する。  本実施形態は、合成画像情報送信手段から送信される合成画像情報を受信して電子番組コードを抽出し、復元して電子番組情報とすることができる番組録画予約装置に関する。
【００９６】
<構成要件の明示>
以下に、本実施形態の通信端末の構成要件を明示する。      図３１は、本実施形態の機能ブロック図の一例である。番組録画予約装置３１００は、合成画像情報受信部３１０１と、電子番組コード抽出部３１０２と、電子番組情報復元部３１０３と、電子番組表示部３１０４と、からなる。
【００９７】
<構成要件の説明>
以下に、本実施形態の構成要件について説明する。
【００９８】
（合成画像情報受信部）
「合成画像情報受信部」は、合成画像情報送信手段から送信される合成画像情報を受信するように構成されている。合成画像情報受信部での受信は、無線通信によるものであってもよいし有線通信によるものであってもよい。合成画像情報受信部は、受信した合成画像情報を電子番組コード抽出部に出力する。
【００９９】
（電子番組コード抽出部）
「電子番組コード抽出部」は、合成画像情報受信部で受信した合成画像情報から電子番組コードを抽出するように構成されている。ここで電子番組コードを「抽出」する方法には、一例として、合成画像情報を生成したのと逆の処理を行い画像情報と電子番組コード情報に分離する方法、合成画像情報の決められた電子番組コード情報の存在するデータ領域のみを切り取る方法、などが挙げられる。もっとも合成画像情報から電子番組コードを抽出するためには、合成画像情報が画像情報と電子番組コード情報に分離することができるような方法で合成されている必要がある。電子番組コード抽出部は、抽出した電子番組コードを電子番組情報復元部に出力する。
【０１００】
（電子番組情報復元部）
「電子番組情報復元部」は、電子番組コード抽出部にて抽出された電子番組コードから電子番組情報の全部又は一部を復元するように構成されている。復元に当たっては、電子番組情報がコード化されたときのコード化手法と逆の演算を行うことによって復元することができる。例えば、電子番組コード情報に一次元コード化が利用されている場合には、当該一次元コード化の逆の演算を使用し、二次元コード化が利用されている場合には、当該二次元コード化の逆の演算を使用すればよい。  電子番組情報復元部は、復元した電子番組情報を電子番組表示部に出力する。
【０１０１】
（電子番組表示部）
「電子番組表示部」は、電子番組情報復元部にて復元された電子番組情報に基づいて電子番組を表示するように構成されている。表示することにより、電子番組情報の内容を確認することができる。
【０１０２】
<処理の流れ>
以下に本実施形態の処理の流れについて説明する。      図３２は、本実施形態の処理の流れの一例を示す図である。  まず、合成画像情報受信ステップにおいて、番組録画予約装置は、合成画像情報送信ステップから送信される合成画像情報を受信する（ステップＳ３２０１）。次に、電子番組コード抽出ステップにおいて、番組録画予約装置は、合成画像情報受信ステップで受信した合成画像情報から電子番組コードを抽出する（ステップＳ３２０２）。次に、電子番組情報復元ステップにおいて、番組録画予約装置は、電子番組コード抽出ステップにて抽出された電子番組コードから電子番組情報の全部又は一部を復元する（ステップＳ３２０３）。次に、電子番組表示ステップにおいて、番組録画予約装置は、電子番組情報復元ステップにて復元された電子番組情報に基づいて電子番組を表示する（ステップＳ３２０４）。
【０１０３】
<具体例に基づく説明>
以下に本実施形態の具体例について説明する。      図３３、本実施形態の具体的機能ブロック図の一例である。番組録画予約装置３３００は、合成画像情報受信部３３０１と、電子番組コード抽出部３３０２と、電子番組情報復元部３３０３と、電子番組表示部３３０４と、からなる。なお、図３３に記載のデータ例については、図３４に記載のデータ例と同じであるので、図３４の説明において明示する。      図３４は、本実施形態の具体的処理の流れの一例を示す図である。まず、合成画像情報受信ステップにおいて、番組録画予約装置は、合成画像情報送信ステップから送信される合成画像情報（図３４の合成画像）を受信する（ステップＳ３４０１）。次に、電子番組コード抽出ステップにおいて、番組録画予約装置は、合成画像情報受信ステップで受信した合成画像情報から電子番組コード（図３４の電子番組コード）を抽出する（ステップＳ３４０２）。次に、電子番組情報復元ステップにおいて、番組録画予約装置は、電子番組コード抽出ステップにて抽出された電子番組コードから電子番組情報（チャンネル：ＢＳ１００、日時：１０月１日（月）２０：００〜２２：３０、番組：イタリアサッカー）を復元する（ステップＳ３４０３）。次に、電子番組表示ステップにおいて、番組録画予約装置は、電子番組情報復元ステップにて復元された電子番組情報に基づいて電子番組（チャンネル：ＢＳ１００、日時：１０月１日（月）２０：００〜２２：３０、番組：イタリアサッカー）を表示する（ステップＳ３４０４）。
【０１０４】
（実施形態８の実施例）
【０１０５】
以下、図面を参照しながら本実施例の番組録画予約装置について詳細に説明する。また、図５４は、通信端末である携帯電話からデータを受信して録画予約を行う番組録画予約装置の具体的機能ブロック図の一例である。図５４の番組録画予約装置５４００は、合成画像情報受信部５４０１と、第一操作部５４０２と、電子番組コード抽出部５４０３と、電子番組情報復元部５４０４と、番組録画予約記憶部５４０５と、チューナ部５４０６と、ベースバンド処理・データ分離部５４０７と、音声／映像（画像）デコード部５４０８と、ストレージ部５４０９と、音声出力部５４１０と、画像合成部５４１１と、電子番組表示部５４１２と、それらの制御を掌る第一制御部５４１３と、から構成される。
【０１０６】
図５２は、番組録画予約装置の動作を示すフローチャートの一例を示す図である。携帯電話との通信は、携帯電話の通信処理により、通信網を介して番組録画予約装置の通信処理が行われる。また、携帯電話と番組録画予約装置とは通信網を介さず直接通信（赤外通信／無線通信等）を行うことも可能である。通信方法は、通信形態によってプロトコルが異なるので、双方の装置は使用する通信方法に合わせてデータの通信を行う。番組録画予約装置は合成画像情報受信部で携帯電話より予約データの受信を行う（ステップＳ５２０１）。受信した二次元コードと画像（合成画像情報）を番組録画予約記憶部に記憶させる。二次元コードと画像から、二次元コード（電子番組コード）を抽出する（ステップＳ５２０２）。受信した上述のデータを番組の予約者（使用者＝ユーザ）に対し、二次元コードと画像をどのような形で電子番組表示部に表示（ＧＵＩ表示）させるか決定するために、二次元コードを番組データ（テキストデータ）として復号（デコード）するか否かを問合せ、番組録画予約者は、第一操作部により番組録画予約装置に指示を入力する（ステップＳ５２０３）。番組データに復号することが入力された場合、番組録画予約装置は、電子番組情報復元部でテキストデータに復元する（ステップＳ５２０５）。画像は、電子番組コード抽出部によって画像データの復号化（携帯電話では符号化および画像圧縮<ＪＰＥＧ等で>して送信する）を行う。復号化された画像と上述の番組テキストデータを画像合成部で合成し電子番組表示部で表示する（ステップＳ５２０６）。
【０１０７】
電子番組表示部で複数の番組録画予約リストを表示させる方法の一例を図５５、５６に示す。図５５は、番組録画予約である二次元コードを、番組録画予約者（画像）とリンクさせ表示させた例である。図で番組録画予約装置の表示部５５０１に、携帯電話から受信した番組録画予約者（携帯電話から受信した画像）をサムネイル形式で複数（５５０２、５５０４、５５０６、５５０８、５５１１、５５１２）表示した例である。ここで「サムネイル形式」とは、元の画像ファイルを適当なサイズに縮小して、一つの画面に多数、表示できるようにしたもののことをいう。５５０２のサムネイルの番組録画予約者は、番組録画予約５５０３を番組録画予約装置に予約していることを表す。また、５５０８のサムネイルの番組録画予約者は、番組録画予約５５０９と５５１０を番組録画予約装置に予約していることを表す。また、５５１１のサムネイルの番組録画予約者は、番組録画予約を取り消したことを表す。
【０１０８】
図５６は、番組録画予約の二次元コードを上述の電子番組情報復元部で復元しテキストデータとして、電子番組表示部に番組録画予約者（画像）とリンクさせ、番組録画予約者と予約番組をリスト化した例である。例えば、一人の人が複数の番組を予約している場合に、番組録画予約者ごとに予約内容が分かるように、図５５の番組録画予約者の符号と図５６の番組録画予約者を同一符号に割振り（例えば、５５０９と５５１０の予約を５６０３にまとめる）、録画予約者の番組録画予約内容がどのような内容か詳細がわかるように対比をしている。上述した方法で録画予約された番組は予約開始時間が来ると、第一制御部は、チューナ部とベースバンド処理・データ分離部と、音声／映像デコード部とストレージ部とを動作させストレージ部のストレージに記憶する。
【０１０９】
<実施形態８の効果の簡単な説明>
本実施形態の番組録画予約装置は、合成画像情報を受信して、電子番組コードを抽出し、電子番組情報に復元することができる。したがって通信端末から受信した電子番組を表示することにより予約番組の内容を確認することができる。
【０１１０】
<実施形態９の概念>
以下に本実施形態の概念について説明する。本実施形態は、リンク情報送信手段から送信されたリンク情報を受信するためのリンク情報受信部を有する実施形態８に記載の番組録画予約装置に関する。
【０１１１】
<構成要件の明示>
以下に、本実施形態の通信端末の構成要件を明示する。      図３５は、本実施形態の機能ブロック図の一例である。番組録画予約装置３５００は、合成画像情報受信部３５０１と、電子番組コード抽出部３５０２と、電子番組情報復元部３５０３と、電子番組表示部３５０４と、リンク情報受信部３５０５と、からなる。
【０１１２】
<構成要件の説明>
以下に、本実施形態の構成要件について説明する。  「リンク情報受信部」以外の構成要件については、実施形態８と同様なので説明を省略する。
【０１１３】
（リンク情報受信部）
「リンク情報受信部」は、通信端末のリンク情報送信手段から送信されたリンク情報を受信するように構成されている。受信したリンク情報を持つ画像情報と電子番組コード情報を関連付けることができる。リンク情報受信部は、受信したリンク情報を、電子番組表示部などに出力する。
【０１１４】
<処理の流れ>
以下に本実施形態の処理の流れについて説明する。      図３６は、本実施形態の処理の流れの一例を示す図である。ステップＳ３６０１〜Ｓ３６０４については、実施形態８の処理の流れと同様なので説明を省略する。リンク情報受信ステップにおいて、番組録画予約装置は、通信端末のリンク情報送信ステップから送信されたリンク情報を受信する（ステップＳ３６０５）。
【０１１５】
<具体例に基づく説明>
以下に本実施形態の具体例について説明する。      図３７、本実施形態の具体的機能ブロック図の一例である。番組録画予約装置３７００は、合成画像情報受信部３７０１と、電子番組コード抽出部３７０２と、電子番組情報復元部３７０３と、電子番組表示部３７０４と、リンク情報受信部３７０５と、からなる。なお、図３７に記載のデータ例については、図３８に記載のデータ例と同じであるので、図３８の説明において明示する。
図３８は、本実施形態の具体的処理の流れの一例を示す図である。ステップＳ３８０１〜Ｓ３８０４については、実施形態８の具体的処理の流れと同様なので説明を省略する。
リンク情報受信ステップにおいて、番組録画予約装置は、通信端末のリンク情報送信ステップから送信されたリンク情報（ＩＤ：００００  ０００１）を受信する（ステップＳ３６０５）。
【０１１６】
<実施形態９の効果の簡単な説明>
本実施形態の番組録画予約装置は、通信端末のリンク情報送信手段から送信されたリンク情報を受信することができる。したがって受信したリンク情報を持つ画像情報と電子番組コード情報を関連付けることができる。
【０１１７】
<実施形態１０の概念>
以下に本実施形態の概念について説明する。  本実施形態は、画像及びコード送信手段から送信された画像情報及び電子番組コード情報を受信するための画像情報及び電子番組コード情報受信部を有する実施形態８又は９に記載の番組録画予約装置に関する。
【０１１８】
<構成要件の明示>
以下に、本実施形態の通信端末の構成要件を明示する。      図３９は、本実施形態の機能ブロック図の一例である。番組録画予約装置３９００は、合成画像情報受信部３９０１と、電子番組コード抽出部３９０２と、電子番組情報復元部３９０３と、電子番組表示部３９０４と、画像情報及び電子番組コード情報受信部３９０５と、からなる。さらにリンク情報受信部を有する構成であってもよい。
【０１１９】
<構成要件の説明>
以下に、本実施形態の構成要件について説明する。  「画像情報及び電子番組コード情報受信部」以外の構成要件については、実施形態８又は９と同様なので説明を省略する。
【０１２０】
（画像情報及び電子番組コード情報受信部）
「画像情報及び電子番組コード情報受信部」は、画像及びコード送信手段から送信された画像情報及び電子番組コード情報を受信するように構成されている。画像情報及び電子番組コード情報受信部は、受信した画像情報及び電子番組コード情報を、電子番組表示部などに出力する。
【０１２１】
<処理の流れ>
以下に本実施形態の処理の流れについて説明する。      図４０は、本実施形態の処理の流れの一例を示す図である。ステップＳ４００１〜Ｓ４００４については、実施形態８又は９の処理の流れと同様なので説明を省略する。  画像情報及び電子番組コード情報受信ステップにおいて、番組録画予約装置は、画像及びコード送信ステップから送信された画像情報及び電子番組コード情報を受信する（ステップＳ４００５）。
【０１２２】
<具体例に基づく説明>
以下に本実施形態の具体例について説明する。      図４１、本実施形態の具体的機能ブロック図の一例である。番組録画予約装置４１００は、合成画像情報受信部４１０１と、電子番組コード抽出部４１０２と、電子番組情報復元部４１０３と、電子番組表示部４１０４と、画像情報及び電子番組コード情報受信部４１０５と、からなる。さらにリンク情報受信部を有する構成であってもよい。なお、図４１に記載のデータ例については、図４２に記載のデータ例と同じであるので、図４２の説明において明示する。      図４２は、本実施形態の具体的処理の流れの一例を示す図である。ステップＳ４２０１〜Ｓ４２０４については、実施形態８又は９の具体的処理の流れと同様なので説明を省略する。  画像情報及び電子番組コード情報受信ステップにおいて、番組録画予約装置は、画像及びコード送信ステップから送信された画像情報（図４２の画像）及び電子番組コード情報（図４２のコード化された文字）を受信する（ステップＳ４２０５）。
【０１２３】
<実施形態１０の効果の簡単な説明>
本実施形態の番組録画予約装置は、通信端末のリンク情報送信手段から送信されたリンク情報を受信することができる。したがって受信したリンク情報を持つ画像情報と電子番組コード情報を関連付けることができる。
【０１２４】
<<実施形態１１>>
以下に実施形態１１について説明する。
【０１２５】
<実施形態１１の概念>
以下に本実施形態の概念について説明する。本実施形態の通信端末は、コード化が、二次元コード化である実施形態１から７、１１、又は１２のいずれか一に記載の通信端末に関する。
【０１２６】
<構成要件の明示>
以下に、本実施形態の通信端末の構成要件については、コード化部が二次元コード化するように構成されていること以外は実施形態１から７、１１、又は１２のいずれか一と同様なので、明示を省略する。
【０１２７】
<構成要件の説明>
以下に、本実施形態の構成要件について説明する。  「コード化部」以外の構成要件については、実施形態１から７、１１、又は１２のいずれか一と同様なので説明を省略する。
【０１２８】
（コード化部）
「コード化部」は、電子番組コード情報を生成するように構成されている。ここで本実施形態における「コード化」とは、二次元コード化であることを特徴とする。二次元コードには、実施形態１で述べたように、バーコードを多段に積み重ねたスタック型二次元コード、マス目を塗りつぶしたような形をしたマトリックス型二次元コードなどが挙げられる。スタック型二次元コードには、一例として、ＰＤＦ４１７、コード４９、コード１６Ｋ、コーダブロックなどが挙げられる。マトリックス型二次元コードには、一例として、データコード、ＱＲコード（登録商標）、マキシコード、ＣＰコードなどが挙げられる。その他の二次元コードには、一例として、アレイタグ、コードワン、ベリコード（登録商標）、カルラコード（登録商標）、ボックス図形コード、ソフトストリップなどが挙げられる。スタック型二次元コードの読取方式には、一例として、レーザー方式、ＣＣＤラインセンサ方式などがある。マトリックス型二次元コードの読取方式には、一例として、ＣＣＤエリアセンサ方式などがある。二次元コード化することにより、一次元コード化などよりも、一見して第三者に内容を読み取られる可能性が少なくなる。
【０１２９】
<処理の流れ>
「コード化ステップ」のコード化が二次元コード化であること以外の処理の流れについては、実施形態１から７、１１、又は１２のいずれか一と同様なので説明を省略する。
【０１３０】
<具体例に基づく説明>
以下に本実施形態の具体例について説明する。      図４３は、本実施形態の具体的機能ブロック図の一例である。通信端末４３００は、電子番組情報取得部４３０１と、コード化部４３０２と、電子番組コード情報保持部４３０３と、表示部４３０４と、送信部４３０５と、画像情報取得部４３０６と、画像情報保持部４３０７と、画像−コード合成部４３０８と、からなる。また、表示部は、電子番組コード表示手段（図示はしていない）と、合成画像表示手段４３０９と、を有する。なお、図４３に記載のデータ例については、図４４、４５に記載のデータ例と同じであるので、図４４、４５の説明において明示する。
図４４、４５は、本実施形態の具体的処理の流れの一例を示す図である。
（電子番組コード情報の生成ステップ）
まず、電子番組情報取得ステップにおいて、通信端末は、電子番組情報（チャンネル：ＢＳ１００、日時：１０月１日（月）２０：００〜２２：３０、番組：イタリアサッカー）を取得する（ステップＳ４４０１）。次に、コード化ステップにおいて、通信端末は、電子番組情報取得ステップで取得した電子番組情報（チャンネル：ＢＳ１００、日時：１０月１日（月）２０：００〜２２：３０、番組：イタリアサッカー）を二次元コード化して電子番組コード情報（図４４に示す二次元コード化された四角形をした情報）とする（ステップＳ４４０２）。次に、電子番組コード情報保持ステップにおいて、通信端末は、コード化ステップにて二次元コード化された電子番組コード情報（図４４に示す二次元コード化された四角形をした情報）を保持する（ステップＳ４４０３）。次に、表示ステップにおいて、通信端末は、電子番組コード情報保持ステップで保持されている電子番組コード情報（図４４に示す二次元コード化された四角形をした情報）を表示する（ステップＳ４４０４）。次に、送信ステップにおいて、通信端末は、情報（図４４に示す二次元コード化された四角形をした情報、太郎の予約）を送信する（ステップＳ４４０５）。  なお、上記ステップＳ４４０４とステップＳ４４０５の順序は問わない。
（合成画像情報の生成ステップ）
まず、画像情報取得ステップにおいて、通信端末は、画像を表示するための情報である画像情報（図４５に示す画像）を取得する（ステップＳ４５０６）。次に、画像情報保持ステップにおいて、通信端末は、画像情報取得ステップで取得した画像情報（図４５に示す画像）を保持する（ステップＳ４５０７）。次に、画像−コード合成ステップにおいて、通信端末は、画像情報保持ステップにて保持された画像情報（図４５に示す画像）と、電子番組コード情報保持ステップにて保持された電子番組コード情報（図４４に示す二次元コード化された四角形をした情報）とを合成して、合成画像情報（図４５に示す画像）とする（ステップＳ４５０８）。次に、表示ステップにおいて、通信端末は、画像−コード合成ステップで合成された合成画像情報に基づいて合成画像（図４５に示す画像）を表示する（ステップＳ４５０９）。
【０１３１】
図４６は、携帯型の通信端末４６００の表示部に合成画像を表示している状態の一例を示す図である。表示部のディスプレイ４６０１に、合成画像を構成する画像４６０２と電子番組コード情報４６０３が図示されている。
【０１３２】
（実施形態１１の実施例）
以下、図面を参照しながら本実施形態の通信端末の実施例について詳細に説明する。まず本実施例の基本的な考え方について説明する。本実施例に係わる通信端末は、カメラ付き携帯電話やＰＤＡに適用した場合に、最も本実施例の効果が発揮できるもので、以下の説明はカメラ付き携帯電話を例に実施の動作を行うが、カメラ付きが本実施例の絶対的条件とはならないことを付記する。
【０１３３】
（１）カメラ付き携帯電話は、サイトと通信を行い、ＴＶの電子番組ガイドを受信する。或いは、ＰＣ等でインターネットより受信したＴＶ電子番組ガイドファイルを携帯電話にて登録する（ＰＣとの赤外通信やＰＣカードでのデータ通信等）。
（２）受信したデータは、ＴＶ番組表（リスト）として、表示部に表示することができる（従来技術）。
（３）予約者（ユーザ）は、上述のＴＶ番組表より、番組録画予約装置に予約する番組を選択する。
（４）予約者は、選択した番組を二次元コードに変換する。
（５）予約者は、カメラ部で撮影した画像（或いは、ＲＯＭ等記憶されている画像乃至キャラクタ等）を読み出し、上述の二次元コードと合成し表示部に表示をする。
（６）表示部に表示の画像および二次元コード（二次元コードのみでもよい）のデータを、送信部を介して番組録画予約装置に出力する。
（７）番組録画予約装置は、上述の受信データ（画像と二次元コード）を表示部に表示或いは二次元コードをデコードして予約者ごとの番組録画予約リスト（表）にして、表示部に表示する。
【０１３４】
図５３は上述した本実施例の基本的考え方におけるカメラ付き携帯電話の具体的機能ブロック図の一例である。通信端末５３００であるカメラ付き携帯電話（以下単に携帯電話）は、送信部５３０１と、画像情報取得部５３０２と、画像情報を保持し、キャラクタを格納するＲＯＭを有する画像情報保持部５３０３と、操作部５３０４と、電子番組情報取得部５３０５と、電子番組情報保持部５３０６と、コード化部５３０７と、番組データ復号（デコーダ）部５３０８と、画像−コード合成部５３０９と、表示部５３１０と、それらの制御を掌る制御部５３１１と、を備えて構成される。送信部は、通信及び発呼手段、音声受信手段、音声送信手段などの機能が含まれ通常相手と通話する最小限の機能を備えている。
【０１３５】
本実施例の携帯電話の動作について、図に基づいて説明する。
図５１は、本実施例の携帯電話の動作のフローチャートの一例を示す図である。先ず、番組録画予約の手順として、送信部は、（電子）番組ガイドを提供するサイトに接続（通信）し、番組情報をサイトに対して要求する（ステップＳ５１０１）。要求を受けた電子番組情報提供サイト（以下、単にサイトという）は、番組ガイド情報（データ）を送信する（ステップＳ５１１０）。携帯電話の送信部は、サイトからの情報を受信し、画像情報取得部でテキストデータに変換して画像−コード合成部を介して表示部に番組情報を表示する。予約者（ユーザ）は、表示された番組から予約する番組を操作部により番組指定（選択）する（ステップＳ５１０２）。送信部は、上述した指定された番組の識別できるコードをサイトに送信する。サイトは識別コードを受け、指定された番組の予約データ（後述する、録画予約チャンネル番号、録画開始時間、録画終了時間等）を携帯電話に送信する（ステップＳ５１１１）。送信部は、サイトから送られてきた予約データを電子番組情報保持部に記憶し、サイトとの通信を終了する（ステップＳ５１０３）。記憶された予約データは制御部により読み出されコード化部に入力され二次元コードに変換される（ステップＳ５１０４）。
【０１３６】
また上述した二次元コードは、画像とリンクさせる（ステップＳ５１０５）ことが可能であり、リンクさせる画像を撮影或いは、予め撮影し保存されている画像或いはＲＯＭなどに記憶されているキャラクタなどを画像情報保持部より読み出し（ステップＳ５１０７）、表示部に表示させ、画像等の選択を行う（ステップＳ５１０８）。選択された画像等は上述の二次元コードとリンクされ（ステップＳ５１０９）、画像−コード合成部で合成し表示部に表示する（ステップＳ５１０６）。二次元コードと画像と該二次元コードと該画像のリンク情報は、リンク情報生成部（図には示していない）等に記憶させる。
【０１３７】
なお、携帯電話での表示例は、図４６のようになる。図４６において、４６０１は携帯電話の表示部、４６０２は表示部に表示された画像、４６０３は電子番組表より選択し二次元コードに変換した二次元コードを上述の画像に合成した画像である。画像は予約者自身を示すものでなくてもかまわないことは上述した通りである。また、携帯電話に番組データ復号部を有するものであれば、携帯電話相互の通信により、上述の画像（データ）の交換が可能である。動作は、実施形態８の実施例で述べた番組録画予約装置の動作説明の一部に包括される。
【０１３８】
また、二次元コードのデータ構造は、データの記述方法を取り決めたもので、二次元コードを読み取ったとき、誰もがそのデータを正しく入力できるようにするためのものであり、アプリケーション識別子（ＡＩ）とデータ識別子（ＤＩ）に関する規格ＩＳ０１５４１８と大容量データのデータ構造に関する規格ＩＳ０１５４３４に規定されている。アプリケーション識別子は、ＵＣＣ／ＥＡＮ協会が主に消費財業界向けに作成した識別子である。データ識別子は、米国のＡＮＳＩ規格（ＭＨ１Ｏ．８．２／３）に規定されたもので、主に生産材を対象に作成された識別子である。また、ＩＳ０１５４３４では、識別子を頭に付けた複数のデータを連結する方法について規定されている。ＥＤＩフォーマットは、現在、地域や業界の標準が複数存在しているために、そのどの方式にするかを選択できるようになっている。例えば、世界標準メッセージのＥＤＩＦＡＣＴ、米国製造標準メッセージのＡＮＳＩ（Ａｍｅｒｉｃａｎ  Ｎａｔｉｏｎａｌ  Ｓｔａｎｄａｒｄ  Ｉｎｓｔｉｔｕｔｅ）ＡＳＣＸ１２、同内流通標準メッセージのＪＥＤＩＣＯＳ（Ｊａｐａｎ  ＥＤＩ  ｆｏｒ  Ｃｏｍｍｅｒｃｅ  Ｓｙｓｔｅｍ）、国内製造標準メッセージのＣＩＩ（Ｃｅｎｔｅｒ  ｆｏｒ  ｔｈｅ  Ｉｎｆｏｒｍａｔｉｏｎ  ｏｆ  Ｉｎｄｕｓｔｒｙ）があり、それぞれにフォーマット識別番号が規定されている。そして、データ構造は、メッセージヘッダの"［］>ＲＳ"で始まり、フォーマットヘッダ、フォーマットデータ、フォーマットトレーラ"ＲＳ"、メッセージトレーラー"ＥＯＴ１"となっている。
【０１３９】
<実施形態１１の効果の簡単な説明>
本実施形態の通信端末は、コード化が二次元コード化であるので、第三者に対する電子番組情報の秘匿性を高めることができる。また二次元コード化することにより、合成画像としたときの電子番組コード情報の表示領域を小さくできる。
【０１４０】
<<実施形態１２>>
以下に実施形態１２について説明する。
【０１４１】
<実施形態１２の概念>
以下に本実施形態の概念について説明する。  本実施形態の通信端末は、コード化が、数値化である実施形態１から７、１１、又は１２のいずれか一に記載の通信端末に関する。
【０１４２】
<構成要件の明示>
以下に、本実施形態の通信端末の構成要件については、コード化部が数値化するように構成されていること以外は実施形態１から７、１１、又は１２のいずれか一と同様なので、明示を省略する。
【０１４３】
<構成要件の説明>
以下に、本実施形態の構成要件について説明する。  「コード化部」以外の構成要件については、実施形態１から７、１１、又は１２のいずれか一と同様なので説明を省略する。
【０１４４】
（コード化部）
「コード化部」は、電子番組コード情報を生成するように構成されている。ここで本実施形態における「コード化」とは、数値化であることを特徴とする。ここで「数値化」とは、予約をする電子番組情報の数を計算し、その数値を電子番組コード情報とすることをいう。電子番組情報自体の変換はする必要性はない。  数値化することにより、第三者に内容を読み取られることがない。
【０１４５】
<処理の流れ>
「コード化ステップ」のコード化が数値化であること以外の処理の流れについては、実施形態１から７、１１、又は１２のいずれか一と同様なので説明を省略する。
【０１４６】
<具体例に基づく説明>
以下に本実施形態の具体例について説明する。      図４７は、本実施形態の具体的機能ブロック図の一例である。通信端末４７００は、電子番組情報取得部４７０１と、コード化部４７０２と、電子番組コード情報保持部４７０３と、表示部４７０４と、送信部４７０５と、画像情報取得部４７０６と、画像情報保持部４７０７と、画像−コード合成部４７０８と、からなる。また、表示部は、電子番組コード表示手段（図示はしていない）と、合成画像表示手段４７０９と、を有する。なお、図４７に記載のデータ例については、図４８、４９に記載のデータ例と同じであるので、図４８、４９の説明において明示する。
図４８、４９は、本実施形態の具体的処理の流れの一例を示す図である。
（電子番組コード情報の生成ステップ）
まず、電子番組情報取得ステップにおいて、通信端末は、電子番組情報１（チャンネル：ＢＳ１００、日時：１０月１日（月）２０：００〜２２：３０、番組：イタリアサッカー）、電子番組情報２（チャンネル：ＢＳ１０３、日時：１０月４日（木）１９：００〜２１：３０、番組：アジア杯サッカー）、電子番組情報３（チャンネル：ＢＳ２００、日時：１０月７日（日）８：００〜１３：３０、番組：メジャーリーグベースボール）を取得する（ステップＳ４８０１）。次に、コード化ステップにおいて、通信端末は、電子番組情報取得ステップで取得した電子番組情報１（チャンネル：ＢＳ１００、日時：１０月１日（月）２０：００〜２２：３０、番組：イタリアサッカー）、電子番組情報２（チャンネル：ＢＳ１０３、日時：１０月４日（木）１９：００〜２１：３０、番組：アジア杯サッカー）、電子番組情報３（チャンネル：ＢＳ２００、日時：１０月７日（日）８：００〜１３：３０、番組：メジャーリーグベースボール）を数値化して電子番組コード情報（図４８に示す数値化された「３」という数値）とする（ステップＳ４８０２）。次に、電子番組コード情報保持ステップにおいて、通信端末は、コード化ステップにて数値化された電子番組コード情報（図４８に示す数値化された「３」という数値）を保持する（ステップＳ４８０３）。次に、表示ステップにおいて、通信端末は、電子番組コード情報保持ステップで保持されている電子番組コード情報（図４８に示す数値化された「３」という数値）を表示する（ステップＳ４８０４）。次に、送信ステップにおいて、通信端末は、情報（図４８に示す数値化された「３」という数値、太郎の予約）を送信する（ステップＳ４８０５）。
なお、上記ステップＳ４８０４とステップＳ４８０５の順序は問わない。
（合成画像情報の生成ステップ）
まず、画像情報取得ステップにおいて、通信端末は、画像を表示するための情報である画像情報（図４９に示す画像）を取得する（ステップＳ４９０６）。次に、画像情報保持ステップにおいて、通信端末は、画像情報取得ステップで取得した画像情報（図４９に示す画像）を保持する（ステップＳ４９０７）。次に、画像−コード合成ステップにおいて、通信端末は、画像情報保持ステップにて保持された画像情報（図４９に示す画像）と、電子番組コード情報保持ステップにて保持された電子番組コード情報（図４８に示す数値化された「３」という数値）とを合成して、合成画像情報（図４９に示す画像）とする（ステップＳ４９０８）。次に、表示ステップにおいて、通信端末は、画像−コード合成ステップで合成された合成画像情報に基づいて合成画像（図４９に示す画像）を表示する（ステップＳ４９０９）。
【０１４７】
図５０は、携帯型の通信端末５０００の表示部に合成画像を表示している状態の一例を示す図である。表示部のディスプレイ５００１に、合成画像を構成する画像５００２と電子番組コード情報５００３が図示されている。
【０１４８】
<実施形態１２の効果の簡単な説明>
本実施形態の通信端末は、コード化が数値化であるので、第三者に対する電子番組情報の秘匿性を高めることができる。また数値化することにより、合成画像としたときの電子番組コード情報の表示領域を小さくできる。さらに予約する電子番組情報の数のみ分かればよいので、電子番組情報自体を符号化する必要がない。
【産業上の利用可能性】
【０１４９】
本発明は、電子番組ガイドを受信し表示が可能な通信端末及び受信した電子番組ガイドのコード化技術および復号化技術を用いた番組録画予約装置に適用可能である。
【図面の簡単な説明】
【０１５０】
【図１】実施形態１の機能ブロック図
【図２】実施形態１の電子番組情報を説明するための図
【図３】実施形態１の処理の流れ図
【図４】実施形態１の具体的機能ブロック図
【図５】実施形態１の具体的処理の流れ図
【図６】実施形態２の機能ブロック図
【図７】実施形態２の処理の流れ図
【図８】実施形態２の具体的機能ブロック図
【図９】実施形態２の具体的処理（その１）の流れ図
【図１０】実施形態２の具体的処理（その２）の流れ図
【図１１】実施形態３の機能ブロック図
【図１２】実施形態３の処理の流れ図
【図１３】実施形態３の具体的機能ブロック図
【図１４】実施形態３の具体的処理（その１）の流れ図
【図１５】実施形態３の具体的処理（その２）の流れ図
【図１６】実施形態４の機能ブロック図
【図１７】実施形態４のリンクＩＤを説明するための図
【図１８】実施形態４の処理の流れ図
【図１９】実施形態４の具体的機能ブロック図
【図２０】実施形態４の具体的処理（その１）の流れ図
【図２１】実施形態４の具体的処理（その２）の流れ図
【図２２】実施形態５の機能ブロック図
【図２３】実施形態５の処理の流れ図
【図２４】実施形態５の具体的処理の流れ図
【図２５】実施形態６の機能ブロック図
【図２６】実施形態６の処理の流れ図
【図２７】実施形態６の具体的処理の流れ図
【図２８】実施形態７の機能ブロック図
【図２９】実施形態７の処理の流れ図
【図３０】実施形態７の具体的処理の流れ図
【図３１】実施形態８の機能ブロック図
【図３２】実施形態８の処理の流れ図
【図３３】実施形態８の具体的機能ブロック図
【図３４】実施形態８の具体的処理の流れ図
【図３５】実施形態９の機能ブロック図
【図３６】実施形態９の処理の流れ図
【図３７】実施形態９の具体的機能ブロック図
【図３８】実施形態９の具体的処理の流れ図
【図３９】実施形態１０の機能ブロック図
【図４０】実施形態１０の処理の流れ図
【図４１】実施形態１０の具体的機能ブロック図
【図４２】実施形態１０の具体的処理の流れ図
【図４３】実施形態１１の具体的機能ブロック図
【図４４】実施形態１１の具体的処理（その１）の流れ図
【図４５】実施形態１１の具体的処理（その２）の流れ図
【図４６】実施形態１１の通信端末の説明図
【図４７】実施形態１２の具体的機能ブロック図
【図４８】実施形態１２の具体的処理（その１）の流れ図
【図４９】実施形態１２の具体的処理（その２）の流れ図
【図５０】実施形態１２の通信端末の説明図
【図５１】実施形態１１の実施例の動作フローチャートを示す図
【図５２】実施形態８の実施例の動作フローチャートを示す図
【図５３】実施形態１１の実施例の具体的機能ブロック図
【図５４】実施形態８の実施例の具体的機能ブロック図
【図５５】実施形態８の実施例を説明（その１）する図
【図５６】実施形態８の実施例を説明（その２）する図
【符号の説明】
【０１５１】
０１００  通信端末
０１０１  電子番組情報取得部
０１０２  コード化部
０１０３  電子番組コード情報保持部
０１０４  表示部
０１０５  送信部
【図１】
2006060331.tif 000003
【図２】
2006060331.tif 000004
【図３】
2006060331.tif 000005
【図４】
2006060331.tif 000006
【図５】
2006060331.tif 000007
【図６】
2006060331.tif 000008
【図７】
2006060331.tif 000009
【図８】
2006060331.tif 000010
【図９】
2006060331.tif 000011
【図１０】
2006060331.tif 000012
【図１１】
2006060331.tif 000013
【図１２】
2006060331.tif 000014
【図１３】
2006060331.tif 000015
【図１４】
2006060331.tif 000016
【図１５】
2006060331.tif 000017
【図１６】
2006060331.tif 000018
【図１７】
2006060331.tif 000019
【図１８】
2006060331.tif 000020
【図１９】
2006060331.tif 000021
【図２０】
2006060331.tif 000022
【図２１】
2006060331.tif 000023
【図２２】
2006060331.tif 000024
【図２３】
2006060331.tif 000025
【図２４】
2006060331.tif 000026
【図２５】
2006060331.tif 000027
【図２６】
2006060331.tif 000028
【図２７】
2006060331.tif 000029
【図２８】
2006060331.tif 000030
【図２９】
2006060331.tif 000031
【図３０】
2006060331.tif 000032
【図３１】
2006060331.tif 000033
【図３２】
2006060331.tif 000034
【図３３】
2006060331.tif 000035
【図３４】
2006060331.tif 000036
【図３５】
2006060331.tif 000037
【図３６】
2006060331.tif 000038
【図３７】
2006060331.tif 000039
【図３８】
2006060331.tif 000040
【図３９】
2006060331.tif 000041
【図４０】
2006060331.tif 000042
【図４１】
2006060331.tif 000043
【図４２】
2006060331.tif 000044
【図４３】
2006060331.tif 000045
【図４４】
2006060331.tif 000046
【図４５】
2006060331.tif 000047
【図４６】
2006060331.tif 000048
【図４７】
2006060331.tif 000049
【図４８】
2006060331.tif 000050
【図４９】
2006060331.tif 000051
【図５０】
2006060331.tif 000052
【図５１】
2006060331.tif 000053
【図５２】
2006060331.tif 000054
【図５３】
2006060331.tif 000055
【図５４】
2006060331.tif 000056
【図５５】
2006060331.tif 000057
【図５６】
2006060331.tif 000058